(57)【要約】【課題】  適宜表示画面構成によって、又、情報利用者の特性、時間等に対応させて、適宜情報を選択的に配信することができる情報配信システムを提供する。【解決手段】  情報管理者用端末装置３と、システムサーバー２と、情報利用者用端末装置７とを通信回線網８を介して接続して情報配信システム１を構成する。情報管理者用端末装置３において静止画、動画及びテキストを適宜組み合わせて構成した表示画面情報ファイルを作成し、情報管理者用端末装置３から表示画面情報ファイルをシステムサーバー２に格納する。システムサーバー２から表示画面情報ファイルを情報利用者用端末装置７に配信し、情報利用者用端末装置７の表示画面に表示画面情報を表示させる。【選択図】              図１
2005196301.tif 000002
【特許請求の範囲】
【請求項１】
情報管理者用端末装置と、システムサーバーと、情報利用者用端末装置とを通信回線網を介して接続してなる情報配信システムであって、前記情報管理者用端末装置において静止画、動画及びテキストを適宜組み合わせて構成した表示画面情報ファイルを作成し、前記情報管理者用端末装置から表示画面情報ファイルを前記システムサーバーに格納し、前記システムサーバーから表示画面情報ファイルを前記情報利用者用端末装置に配信し、前記情報利用者用端末装置の表示画面に前記表示画面情報ファイルを表示させることを特徴とする情報配信システム。
【請求項２】
前記情報利用者用端末装置の各々に対応させて前記表示画面情報ファイルを作成し、前記システムサーバーから前記表示画面情報ファイルを前記情報利用者用端末装置の各々に対応させて配信し、前記情報利用者用端末装置の各々の表示画面に対応させた前記表示画面情報ファイルを表示させることを特徴とする請求項１に記載の情報配信システム。
【請求項３】
前記表示画面情報ファイルを配信する日時を前記システムサーバーにスケジュール情報として格納し、このスケジュール情報に基づいて前記システムサーバーから前記表示画面情報ファイルを前記情報利用者用端末装置に配信することを特徴とする請求項１又は２に記載の情報配信システム。
【請求項４】
前記情報管理者用端末装置において前記表示画面情報ファイルを割り込み情報ファイルとして作成し、予め前記システムサーバーに格納した前記表示画面情報ファイルに優先して前記情報利用者用端末装置に配信することを特徴とする請求項１乃至３に記載の情報配信システム。
【請求項５】
情報提供者用端末装置に画像若しくは映像入力装置又は音声入力装置を付設し、画像、映像又は音声をリアルタイムに配信することを特徴とする請求項１乃至４に記載の情報配信システム。
【請求項６】
情報提供者用端末装置及び前記情報利用者用端末装置に、画像若しくは映像入力装置又は音声入力装置を付設し、双方向で情報配信することを特徴とする請求項１乃至４に記載の情報配信システム。
【請求項７】
前記情報利用者用端末装置は、液晶又はプラズマ方式の大画面表示装置、テレビジョン、プロジェクターであることを特徴とする請求項１乃至６に記載の情報配信システム。
【請求項８】
前記情報利用者用端末装置を自動販売機に設置したことを特徴とする請求項１乃至６に記載の情報配信システム。
【発明の詳細な説明】
【技術分野】
【０００１】
本発明は、広告情報、商品情報、観光情報、交通情報等の各種情報を通信回線を介して提供する情報配信システムに関する。
【背景技術】
【０００２】
近年における情報通信技術の発展には目覚しいものがあり、各種通信回線を介して、特には、インターネットを介して、各種情報を容易に提供し、そして、容易に収集できるようになってきた。インターネット上では、情報提供者は、ウェブページを作成してサーバーに格納しておくことによって、多数の者に種々情報を提供することができ、又、情報利用者は、通信端末装置からウェブページを閲覧することによって、多数の者から種々情報を収集することができる。このような利便性によって、ウェブページを作成又は閲覧する者は年々増加の一途を辿り、インターネットは、新たな情報提供手段及び情報収集手段としてその地位を確立してきた。
【０００３】
インターネットによる情報提供は、広告業界等においても幅広く利用されるようになっており、アクセス数の多いウェブページの作成者に広告料を支払い、そのウェブページを構成するコンテンツの一部として広告情報を掲載するという方法が用いられている。
さらに進んで、インターネットに接続した際に、ウェブページに掲載された広告情報を通信端末装置に蓄積しておき、蓄積された広告情報を情報利用者の特性に対応させて表示する広告配信システムも提案されている（特許文献１参照）。
【０００４】
【特許文献１】特開平２００１−２２９２３０
【発明の開示】
【発明が解決しようとする課題】
【０００５】
上記従来の広告配信システムでは、広告情報は、ウェブページの作成者が規定した画面構成で提供されるだけであり、動画、静止画、テキスト等を含む変化に富んだものではなかった。しかも、作成された広告情報は、比較的長期間又は長時間に亘って利用され、情報利用者に与えるインパクトはあまり大きなものではなかった。
又、情報利用者の特性に対応させ、又、情報を利用する地域、時間に対応させて、適宜広告情報を選択的に配信することはできず、効果的に広告情報を提供することはできなかった。さらに、緊急時に表示画面を切り替えたり、テキスト情報をテロップとして挿入する等、即時に緊急情報を提供することはできなかった。
【０００６】
本発明は、上記課題を解決するために為されたものであって、広告情報等の種々情報を種々画面構成によって提供することができ、しかも、種々情報をリアルタイムで配信することができて、情報利用者に与えるインパクトが大きい情報配信システムを提供することを目的とする。
又、情報利用者の特性に対応させ、又、情報を利用する地域、時間に対応させて、適宜情報を選択的に配信することができ、さらには、表示画面を切り替えたり、テキスト情報をテロップとして挿入する等、即時に緊急情報を提供することができ、効果的に情報を提供することができる情報配信システムを提供することを目的とする。
【課題を解決するための手段】
【０００７】
上記目的を達成するために、本発明の情報配信システムは、情報管理者用端末装置と、システムサーバーと、情報利用者用端末装置とを通信回線網を介して接続してなる情報配信システムであって、前記情報管理者用端末装置において静止画、動画及びテキストを適宜組み合わせて構成した表示画面情報ファイルを作成し、前記情報管理者用端末装置から表示画面情報ファイルを前記システムサーバーに格納し、前記システムサーバーから表示画面情報ファイルを前記情報利用者用端末装置に配信し、前記情報利用者用端末装置の表示画面に前記表示画面情報ファイルを表示させることを特徴とする。
【０００８】
前記情報利用者用端末装置の各々に対応させて前記表示画面情報ファイルを作成し、前記システムサーバーから前記表示画面情報ファイルを前記情報利用者用端末装置の各々に対応させて配信し、前記情報利用者用端末装置の各々の表示画面に対応させた前記表示画面情報ファイルを表示させることを特徴とする。
【０００９】
又、前記表示画面情報ファイルを配信する日時を前記システムサーバーにスケジュール情報として格納し、このスケジュール情報に基づいて前記システムサーバーから前記表示画面情報ファイルを前記情報利用者用端末装置に配信することを特徴とする。
【００１０】
さらに、前記情報管理者用端末装置において前記表示画面情報ファイルを割り込み情報ファイルとして作成し、予め前記システムサーバーに格納した前記表示画面情報ファイルに優先して前記情報利用者用端末装置に配信することを特徴とする。
【００１１】
情報提供者用端末装置に画像若しくは映像入力装置又は音声入力装置を付設し、画像、映像又は音声をリアルタイムに配信するようにしてもよい。
【００１２】
又、情報提供者用端末装置及び前記情報利用者用端末装置に、画像若しくは映像入力装置又は音声入力装置を付設し、双方向で情報配信するようにしてもよい。
【００１３】
前記情報利用者用端末装置は、液晶又はプラズマ方式の大画面表示装置、テレビジョン、プロジェクターであってもよい。
さらに、前記情報利用者用端末装置を自動販売機に設置してもよい。
【発明を実施するための最良の形態】
【００１４】
以下、本発明の情報配信システムの好適な実施形態について、広告情報を配信する場合に関して、図面を参照して詳細に説明する。
本発明の情報配信システム１は、図１に示すように、システムサーバー２、情報管理者用端末装置３、広告代理店用端末装置４、広告主用端末装置５、他種情報提供者用端末装置６、情報利用者用端末装置７を通信回線網８を介して接続してなるものである。
ここで、通信回線網９は、インターネット又はイントラネットとするのが好ましい。
【００１５】
情報管理者には管理権限等によって階層を設けてあり、上位から順次第一代理店、第ニ代理店というように呼ぶ。そして、第一代理店、第ニ代理店には、各々第一代理店用端末装置３Ａ、第二代理店用端末装置３Ｂが設置されている。
配信する広告情報は、通常、広告主から広告代理店を介して書類、図面、写真、フィルム等の形態で情報管理者に送付される。又、他種情報提供者は、広告情報以外の情報を適宜提供する。
尚、広告情報又は広告情報以外の情報等を、広告代理店用端末装置４、広告主用端末装置５、他種情報提供者用端末装置６から情報管理者用端末装置３に送信するようにしてもよい。
【００１６】
先ず、情報配信システム１の情報管理者を登録、変更等する方法について説明する。情報管理者を登録、変更等する権限は、第一代理店及び第二代理店が有するが、それぞれによって登録、変更等できる権限は異なる。
第一代理店は、自己及び第二代理店を登録、変更等する権限を有し、第二代理店は、自己のみを登録、変更等する権限を有する。
【００１７】
第一代理店が情報配信システム１の情報管理者を登録、変更等する場合について説明すれば、次の通りである。
第一代理店用端末装置３Ａを起動させ、情報管理用サイトにアクセスすれば、図２に示すように、ディスプレイ上にログイン画面２１が表示される。このログイン画面２１において、認証欄２１１に予め設定されたカンパニーＩＤ、ユーザーＩＤ、パスワードを入力すれば、図３に示すように、ディスプレイ上には初期画面２２が表示される。
【００１８】
この初期画面２２おいて、「サイト管理」ボタン２２１をクリックすれば、図４に示すように、サイト管理画面２３が表示される。このサイト管理画面２３において、「カンパニーの追加」ボタン２３１をクリックすれば、図５に示すように、カンパニー追加画面２４が表示される。
このカンパニー追加画面２４において、登録申請欄２４１に自己又は第二代理店に関する所定事項を記載又は選択し、図示しない「保存」ボタンをクリックすることによって、自己又は第二代理店を登録、追加することができる。
【００１９】
そして、図示しない「保存」ボタンをクリックすることによって、図６に示すように、ディスプレイ上には代理店一覧画面２５が表示され、登録、追加した自己又は第二代理店を確認することができる。
又、代理店一覧画面２５において、カンパニーＩＤをクリックすれば、図７に示すように、ディスプレイ上にはカンパニー詳細画面２６が表示され、登録、追加した自己又は第二代理店に関する詳細情報を確認することができる。
【００２０】
尚、代理店一覧画面２５において、適宜自己又は第二代理店のカンパニーＩＤをクリックし、図７に示すように、自己又は第二代理店のカンパニー詳細画面２６を表示させ、コマンド欄の「編集」ボタン２６２又は「削除」ボタン２６３をクリックした後、所定の操作をすることによって、自己又は第二代理店に関する情報を変更することができるとともに、自己又は第二代理店を削除することもできる。
【００２１】
上記においては、第一代理店が情報配信システム１の情報管理者を登録、変更等する場合について説明したが、第二代理店が情報配信システム１の情報管理者を登録、変更等する場合も略同様の操作を実行することになる。
そして、情報配信システム１の情報管理者として登録された第一代理店及び第二代理店は、以後、情報配信システム１を種々管理する権限を有することになる。
【００２２】
次に、情報配信システム１の情報利用者を登録、変更等する方法について説明する。情報利用者を登録、変更等する権限は、情報管理者として登録された第一代理店及び第二代理店が有する。
一般的には、情報管理者として登録された第一代理店及び第二代理店も情報利用者として登録される。
【００２３】
第一代理店が情報配信システム１の情報提供者を登録、変更等する場合について説明すれば、次の通りである。
初期画面２２おいて、「グループ」ボタン２２２をクリックして、プルダウンメニューから「ユーザーマネージャー」を選択すれば、ユーザー管理画面が表示される。このユーザー管理画面において、「ユーザー」ボタン２７１をクリックした後「ユーザーの追加」ボタン２７５をクリックすれば、図８に示すように、ディスプレイ上にユーザー追加画面２７が表示される。
このユーザー追加画面２７において、「ユーザーの追加」欄２７２に情報利用者に関する所定事項を記載又は選択し、「保存」ボタン２７３をクリックすることによって、情報利用者を登録、追加することができる。
【００２４】
ユーザー追加画面２７において、「ユーザーの確認」ボタン２７４をクリックすれば、図９に示すように、ユーザー確認画面２８が表示される。このユーザー確認画面２８において、「ユーザー検索」ボタン２８１をクリックすれば、既に登録されたユーザーを検索することができる。
ユーザー確認画面２８において、「ユーザーリスト」ボタン２８２，２８３をクリックすれば、図１０に示すように、ユーザー一覧画面２９が表示され、既に登録されたユーザーを確認することができる。さらに、ユーザー一覧画面２９において、ユーザーＩＤをクリックすれば、図１１に示すように、ディスプレイ上にはユーザー詳細画面３０が表示され、登録、追加したユーザーに関する詳細情報を確認することができる。
【００２５】
尚、ユーザー一覧画面２９において、適宜ユーザーＩＤをクリックし、図１１に示すように、当該ユーザーのユーザー詳細画面３０を表示させ、コマンド欄の「編集」ボタン３０１又は「削除」ボタン３０２をクリックした後、所定の操作をすることによって、当該ユーザーに関する情報を変更することができるとともに、当該ユーザーを削除することもできる。
【００２６】
次に、情報配信システム１によって配信する情報を情報利用者用端末装置７のディスプレイ上に表示する表示画面の作成方法について説明する。
【００２７】
第一代理店が情報利用者用端末装置７のディスプレイ上に表示する表示画面を作成する場合について説明すれば、次の通りである。
初期画面２２おいて、「グループ」ボタン２２２をクリックして、プルダウンメニューから「ＮＥＴＶＩＳ．」を選択すれば、情報配信管理画面が表示される。この情報配信管理画面において、「情報配信」ボタン３１１をクリックすれば、図１２に示すように、ディスプレイ上に表示画面作成画面３１が表示される。
この表示画面作成画面３１において、表示画面追加欄３１２の「表示画面名」３１３に表示画面名を記載し、「追加」ボタン３１４をクリックすることによって、表示画面ファイルが形成される。  
【００２８】
ここで、表示画面名としては、第一代理店が適宜決定した名称を記載するが、情報の配信先がデパート、ホテル等の複数階を有する建物の場合で、各階毎に異なる情報内容の表示画面を配信したい時には、１Ｆ、２Ｆ等の各階を明示する表示画面名とするのが好ましい。
【００２９】
既に作成された表示画面ファイルを更新又は削除する場合には、「更新」ボタン３１５又は「削除」ボタン３１６をクリックすることによって、表示画面ファイルを更新又は削除することができる。
【００３０】
表示画面作成画面３１において、「静止画設定」ボタン３１７、「動画設定」ボタン３１８又は「文字広告設定」ボタン３１９をクリックすれば、それぞれ、表示画面ファイルに静止画、動画、文字広告を設定することができる。
【００３１】
表示画面作成画面３１において、「静止画設定」ボタン３１７をクリックすれば、図１３に示すように、静止画一覧画面３２が表示される。この静止画一覧画面３２において、
「静止画追加」ボタン３２１をクリックすれば、図１４に示すように、静止画追加画面３３が表示される。
この静止画追加画面３３において、「画像名」３３１に静止画名、「表示時間」３３２に静止画を表示する時間、「画像ファイル」３３３に静止画を保存してあるファイル名を記載し、「追加」ボタン３３４をクリックすることによって、表示画面ファイルに静止画を設定することができる。
【００３２】
静止画追加画面３３において、「静止画一覧」ボタン３３５をクリックすれば、図１３に示すように、静止画一覧画面３２が表示され、設定された静止画名、表示時間、保存ファイル名が表示される。
ここで、「画像表示」ボタン３２２をクリックすれば、設定された静止画を表示することができる。又、「イメージ名」をクリックすれば、静止画の内容を更新することができる。さらに、「削除」ボタン３２３をクリックすれば、当該静止画を削除することができる。
【００３３】
表示画面作成画面３１において、「動画設定」ボタン３１８をクリックすれば、図１５に示すように、動画一覧画面３４が表示される。この動画一覧画面３４において、「動画追加」ボタン３４１をクリックすれば、図１６に示すように、動画追加画面３５が表示される。
この動画追加画面３５において、「動画名」３５１に動画名、「表示時間」３５２に動画を表示する時間、「動画ファイル」３５３に動画を保存してあるファイル名を記載し、「追加」ボタン３５４をクリックすることによって、表示画面ファイルに動画を設定することができる。
【００３４】
動画追加画面３５において、「動画一覧」ボタン３５５をクリックすれば、図１５に示すように、動画一覧画面３４が表示され、設定された動画名、表示時間、保存ファイル名が表示される。
ここで、「動画表示」ボタン３４２をクリックすれば、設定された動画を表示することができる。又、「動画名」をクリックすれば、動画の内容を更新することができる。さらに、「削除」ボタン３４３をクリックすれば、当該動画を削除することができる。
【００３５】
尚、広告主、広告代理店、他種情報提供者、情報管理者等の情報提供者が各端末装置内に保持している静止画ファイル又は動画ファイルに電気通信回線を介して、特には、インターネットを介して直接アクセスし、静止画ファイル又は動画ファイルを電気通信回線を介して、特には、インターネットを介して取得し、表示画面ファイルに静止画又は動画を設定するようにしてもよい。
【００３６】
表示画面作成画面３１において、「文字広告設定」ボタン３１９をクリックすれば、図１７に示すように、文字広告一覧画面３６が表示される。この文字広告一覧画面３６において、「文字追加」ボタン３６１をクリックすれば、図１８に示すように、文字追加画面３７が表示される。
この文字追加画面３７において、「文字」３７１に適宜文字を記載し、「追加」ボタン３７２をクリックすることによって、表示画面ファイルに文字広告を設定することができる。
【００３７】
文字追加画面３７において、「文字一覧」ボタン３７３をクリックすれば、図１７に示すように、文字広告一覧画面３６が表示され、設定された文字広告が表示される。
ここで、「文字」をクリックすれば、文字広告を更新することができる。又、「ＯＮ／ＯＦＦ」ボタン３６２をクリックして、「ＯＮ＞ＯＦＦ」表示とすれば、文字広告を配信状態とすることができ、「ＯＦＦ＞ＯＮ」表示とすれば、文字広告を停止状態とすることができる。さらに、「削除」ボタン３６３をクリックすれば、当該文字広告を削除することができる。
【００３８】
次に、情報配信システム１によって配信する情報を情報利用者用端末装置７のディスプレイ上に表示するスケジュールの作成方法について説明する。
【００３９】
上記表示画面作成画面３１において、「スケジュールパターン」ボタン３２０をクリックすれば、図１９に示すように、スケジュールパターン一覧画面３８が表示される。このスケジュールパターン一覧画面３８において、「スケジュールパターン追加」ボタン３８１をクリックすれば、図２０に示すように、スケジュールパターン追加画面３９が表示される。
スケジュールパターン追加画面３９において、「開始時間」３９１に配信開始時間、「終了時間」３９２に配信終了時間、「ディスプレイタイプ」３９３に表示画面タイプ、「動画」３９４に動画ファイル名を選択し、「保存」ボタン３９５をクリックすることによって、スケジュールパターンを設定することができる。
【００４０】
スケジュールパターン追加画面３９において、「スケジュールパターン一覧」ボタン３９６をクリックすれば、図１９に示すように、スケジュールパターン一覧画面３８が表示され、設定されたスケジュールパターンが表示される。
ここで、「クリア」ボタン３８２をクリックすれば、当該スケジュールパターンを削除することができ、「全クリア」ボタン３８３をクリックすれば、全スケジュールパターンを削除することができる。
【００４１】
ここで、「ディスプレイタイプ」とは、情報利用者用端末装置７のディスプレイ上に表示される表示画面タイプのことであって、スケジュールパターン追加画面３９において、「ディスプレイタイプ一覧」ボタン３９７をクリックすることによって、図２１に示すように、ディスプレイタイプ一覧画面４０が表示され、静止画、動画及び文字広告を適宜配置したディスプレイタイプを確認することができる。
【００４２】
表示画面作成画面３１において、「スケジュールカレンダー」ボタン３３０をクリックすれば、図２２に示すように、スケジュールカレンダー一覧画面４１が表示される。
このスケジュールカレンダー一覧画面４１において、「表示するスケジュールの選択」欄４１１の「表示画面」４１２で設定する表示画面名、「年、月」４１３で設定する年月を選択し、「検索」ボタン４１４をクリックすれば、当該年月の日付及びスケジュールパターンが表示される。
【００４３】
スケジュールカレンダー一覧画面４１において、「日付」チェック欄４１５に適宜チェックし、「スケジュールパターン」欄４１６で適宜スケジュールパターンを選択し、「作成」ボタン４１７をクリックすれば、当該年月日に対応したスケジュールパターンを設定することができる。
【００４４】
緊急情報等をリアルタイムに配信する場合には、表示画面形成画面３１において、「割り込み」ボタン３４０をクリックして、図２３に示すように、割り込み一覧画面４２を表示させる。この割り込み一覧画面４２において、「割り込み先追加」ボタン４２１をクリックすれば、図２４に示すように、割り込み追加画面４３が表示される。
この割り込み追加画面４３において、「割り込み設定」欄４３１の「割り込み名」４３２に割り込み情報名、「プレイ回数」４３３に配信回数を記載し、「保存」ボタン４３４をクリックする。又、「割り込みリストアイテム追加」欄４３５の「動画選択」４３６で動画ファイル名、「ディスプレイタイプ」４３７で表示画面のタイプを選択し、「保存」ボタン４３８をクリックする。さらに、「会社選択」欄４３９で割り込み情報を配信する会社を選択する。
【００４５】
割り込み追加画面４３において、「割り込み一覧」ボタン４４０をクリックすれば、図２３に示すように、割り込み一覧画面４２が表示される。この割り込み一覧画面４２において、「割り込み名」をクリックすれば、設定された割り込み情報を変更することができる。又、「ＯＮ／ＯＦＦ」ボタン４２２をクリックすれば、「ＯＮ＞ＯＦＦ」の状態の時に割り込み情報を配信し、「ＯＦＦ＞ＯＮ」の状態の時には割り込み情報を配信しないようにすることができる。さらに、「削除」ボタン４２３をクリックすれば、割り込み情報を削除することができる。
【００４６】
本発明の情報配信システム１によれば、情報利用者用端末装置７が起動され、通信回線８に接続されていれば、図２５に示すように、動画、静止画、テキスト等を含む変化に富んだ情報を自動的に情報利用者に配信することができる。
図２５に示す配信表示画面４４では、左上部に動画４４１、右上部に静止画４４２、下部に文字広告４４３が表示されている。
【００４７】
又、本発明の情報配信システム１によれば、情報利用者用端末装置７を指定して、日時を適宜設定して各種情報を配信することができるから、情報利用者に適宜情報を選択的に配信することができ、極めて効果的に情報を提供することができる。
さらに、緊急時には表示画面を切り替えたり、テキスト情報をテロップとして挿入する等、即時に緊急情報を配信することができるから、情報利用者に与えるインパクトは極めて大きい。
【００４８】
尚、情報管理者用端末装置３Ａ，３Ｂ、広告代理店用端末装置４、他種情報提供者用端末装置６等に、ビデオカメラ等の映像入力装置、マイクロホン等の音声入力装置を付設しておけば、インパクトのある映像又は音声等を情報とともにリアルタイムに配信することができる。
特に、映像を直ちにディジタル信号として入力でき、通信回線網８に映像データを供給できるＷｅｂカメラを映像入力装置として付設しておけば、時間差が無い真のリアルタイム配信が可能となる。
【００４９】
一方、情報利用者用端末装置７にも、ビデオカメラ等の映像入力装置、マイクロホン等の音声入力装置を付設しておけば、一方向の情報配信のみならず、双方向の情報配信が可能となる。
【００５０】
又、情報利用者用端末装置７は、通信回線網８を介して接続してあればよく、パーソナルコンピュータに限らず、液晶又はプラズマ方式の大画面表示装置、テレビジョン、プロジェクター等であってもよく、携帯電話、携帯情報処理端末装置等であってもよい。
【００５１】
さらに、図２６に示すように、自動販売機５１の内部に情報利用者用端末装置７を設置し、その情報利用者用端末装置７と接続した液晶ディスプレイ等のモニター５２を自動販売機５１の正面に設置するようにしてもよい。
自動販売機５１は、道路脇、商店前、駅構内、公園内、ビル内等いたるところに設置されており、本発明の情報配信システム１により配信される情報を表示できるモニター５２が自動販売機５１に設置してあれば、その宣伝効果には絶大なものがある。
【００５２】
以上においては、本発明の情報配信システム１によって広告情報を配信するようにしたが、商品情報、観光情報、交通情報等の各種情報を配信することができる。
【図面の簡単な説明】
【００５３】
【図１】本発明の情報配信システムの概念図である。
【図２】ログイン画面を示す図である。
【図３】初期画面を示す図である。
【図４】カンパニー一覧画面を示す図である。
【図５】カンパニー追加画面を示す図である。
【図６】カンパニー一覧画面を示す図である。
【図７】カンパニー詳細画面を示す図である。
【図８】ユーザー追加画面を示す図である。
【図９】ユーザー確認画面を示す図である。
【図１０】ユーザーリスト画面を示す図である。
【図１１】ユーザー詳細画面を示す図である。
【図１２】表示画面作成画面を示す図である。
【図１３】静止画一覧画面を示す図である。
【図１４】静止画追加画面を示す図である。
【図１５】動画設定一覧画面を示す図である。
【図１６】動画追加画面を示す図である。
【図１７】文字広告一覧画面を示す図である。
【図１８】文字の追加画面を示す図である。
【図１９】スケジュールパターン一覧画面を示す図である。
【図２０】スケジュールパターン追加画面を示す図である。
【図２１】ディスプレイタイプ一覧画面を示す図である。
【図２２】スケジュールカレンダー一覧画面を示す図である。
【図２３】割り込み一覧画面を示す図である。
【図２４】割り込み追加画面を示す図である。
【図２５】情報配信画面を示す図である。
【図２６】本発明の情報配信システムを自動販売機に適用した場合を示す斜視図である。
【符号の説明】
【００５４】
１      情報配信システム
２      システムサーバー
３      情報管理者用端末装置
３Ａ      第一代理店用端末装置
３Ｂ      第ニ代理店用端末装置
４      広告代理店用端末装置
５      広告主用端末装置
６      他種情報提供者用端末装置
７      情報利用者用端末装置
８      通信回線網
５１      自動販売機
【図１】
2005196301.tif 000003
【図２】
2005196301.tif 000004
【図３】
2005196301.tif 000005
【図４】
2005196301.tif 000006
【図５】
2005196301.tif 000007
【図６】
2005196301.tif 000008
【図７】
2005196301.tif 000009
【図８】
2005196301.tif 000010
【図９】
2005196301.tif 000011
【図１０】
2005196301.tif 000012
【図１１】
2005196301.tif 000013
【図１２】
2005196301.tif 000014
【図１３】
2005196301.tif 000015
【図１４】
2005196301.tif 000016
【図１５】
2005196301.tif 000017
【図１６】
2005196301.tif 000018
【図１７】
2005196301.tif 000019
【図１８】
2005196301.tif 000020
【図１９】
2005196301.tif 000021
【図２０】
2005196301.tif 000022
【図２１】
2005196301.tif 000023
【図２２】
2005196301.tif 000024
【図２３】
2005196301.tif 000025
【図２４】
2005196301.tif 000026
【図２５】
2005196301.tif 000027
【図２６】
2005196301.tif 000028